(57)【特許請求の範囲】
【請求項１】
車両走行用の動力源であるエンジン及びモータージェネレーターと、制御装置と、を有するハイブリッドシステムを備えたハイブリッド車両の回生電力量制御システムにおいて、
前記制御装置が、
前記ハイブリッド車両の走行地点の道路勾配が前記ハイブリッド車両の車重に基づいて設定される設定勾配閾値以上の下り勾配である場合に、
前記モータージェネレーターの回生電力量の目標値である目標回生電力量を、前記ハイブリッド車両の走行状態に基づいて設定される回生電力量である基本回生電力量に、前記走行地点の下り勾配の大きさの正関数として設定される補正回生電力量を加算して算出する制御を行うように構成され、
前記ハイブリッド車両の車重が重いほど前記設定勾配閾値が小さくなるハイブリッド車両の回生電力量制御システム。
【請求項２】
前記制御装置が、
前記ハイブリッド車両の走行地点の道路勾配が前記設定勾配閾値以上の下り勾配である場合に、
前記モータージェネレーターの目標回生電力量と、前記モータージェネレーターにインバーターを介して接続されるバッテリーの充電量の合計値である合計電力量が、前記バッテリーに充電できる量の最大値である最大充電量値以上となったときには、前記合計電力量が前記最大充電量値未満となるように、前記目標回生電力量を減少させる制御を行うように構成される請求項１に記載のハイブリッド車両の回生電力量制御システム。
【請求項３】
請求項１または２に記載のハイブリッド車両の回生電力量制御システムを備えたハイブリッド車両。
【請求項４】
車両走行用の動力源であるエンジン及びモータージェネレーターを有するハイブリッドシステムを備えたハイブリッド車両の回生電力量制御方法において、
前記ハイブリッド車両の車重に基づいて設定される設定勾配閾値は、前記ハイブリッド車両の車重が重いほど小さくなり、
前記ハイブリッド車両の走行地点の道路勾配が前記設定勾配閾値以上の下り勾配である場合に、
前記モータージェネレーターの回生電力量の目標値である目標回生電力量を、前記ハイブリッド車両の走行状態に基づいて設定される回生電力量である基本回生電力量に、前記走行地点の下り勾配の大きさの正関数として設定される補正回生電力量を加算して算出する制御を行うことを特徴とするハイブリッド車両の回生電力量制御方法。
【請求項５】
前記ハイブリッド車両の走行地点の道路勾配が前記設定勾配閾値以上の下り勾配である場合に、
前記モータージェネレーターの目標回生電力量と、前記モータージェネレーターにインバーターを介して接続されるバッテリーの充電量の合計値である合計電力量が、前記バッテリーに充電できる量の最大値である最大充電量値以上となったときには、前記合計電力量が前記最大充電量値未満となるように、前記目標回生電力量を減少させる制御を行うことを特徴とする請求項４に記載のハイブリッド車両の回生電力量制御方法。
【発明の詳細な説明】
【技術分野】
【０００１】
本発明は、ハイブリッド車両の回生電力量制御システム、ハイブリッド車両及びハイブリッド車両の回生電力量制御方法に関し、更に詳しくは、車両走行用の動力源であるエンジン及びモータージェネレーターと、制御装置と、を有するハイブリッドシステムを備えたハイブリッド車両の回生電力量制御システム、ハイブリッド車両及びハイブリッド車両の回生電力量制御方法に関する。
【背景技術】
【０００２】
近年、燃費向上及び環境対策などの観点から、車両の運転状態に応じて複合的に制御されるエンジン及びモータージェネレーターを有するハイブリッドシステムを備えたハイブリッド車両（以下「ＨＥＶ」という。）が注目されている。このＨＥＶにおいては、車両の加速時や発進時には、モータージェネレーターによる駆動力のアシストが行われる一方で、慣性走行時や始動時にはモータージェネレーターによる回生発電が行われる（例えば、特許文献１を参照）。
【０００３】
このＨＥＶが慣性走行しているときにおける、モータージェネレーターによる回生電力量の目標値（目標回生電力量）は、従来、ＨＥＶの走行状態（エンジンの燃料噴射量、エンジン回転数、車速等）に基づいて設定されてきた。なお、慣性走行とは、運転者がアクセルペダルを踏まずに（アクセルオフで）エンジンブレーキを効かせながら走行していることである。
【０００４】
しかしながら、ＨＥＶが下り勾配の道路を走行しているときに、その道路の下り勾配の大きさによっては、モータージェネレーターによる回生電力量を未だ大きくする余地が残っていた。
【０００５】
また、ハイブリッド車両の回生発電に関連する技術として、降坂時の勾配度に応じて自動変速機の変速比を低レシオ化または低シフト化するとともに、減速の程度に応じて決定された回生量を所定に減少させるハイブリッド車両の回生制御装置が提案されている（例えば、特許文献２参照）。
【０００６】
しかしながら、上記のハイブリッド車両の回生制御装置では、降坂時の勾配度に応じて回生量を所定に減少させているので、すなわち、勾配度が大きくなるにつれて回生可能な量も大きくなるにもかかわらず、その回生可能な量の多くを無駄に捨てていることとなり、結果として、燃費の向上を図ることができないという問題がある。
【先行技術文献】
【特許文献】
【０００７】
【特許文献１】特開２００２−２３８１０５号公報
【特許文献２】特開２０００−１０２１１０号公報
【発明の概要】
【発明が解決しようとする課題】
【０００８】
本発明の目的は、ハイブリッド車両が下り勾配の道路を走行しているときに、モータージェネレーターによる回生電力量を大きくすることができ、モータージェネレーターにインバーターを介して接続されるバッテリーの充電量を十分に確保することができ、その結果として燃費を向上させることができるハイブリッド車両の回生電力量制御システム、ハイブリッド車両及びハイブリッド車両の回生電力量制御方法を提供することにある。
【課題を解決するための手段】
【０００９】
上記の目的を達成する本発明のハイブリッド車両の回生電力量制御システムは、車両走行用の動力源であるエンジン及びモータージェネレーターと、制御装置と、を有するハイブリッドシステムを備えたハイブリッド車両の回生電力量制御システムにおいて、前記制御装置が、前記ハイブリッド車両の走行地点の道路勾配が前記ハイブリッド車両の車重に基づいて設定される設定勾配閾値以上の下り勾配である場合に、前記モータージェネレーターの回生電力量の目標値である目標回生電力量を、前記ハイブリッド車両の走行状態に基づいて設定される回生電力量である基本回生電力量に、前記走行地点の下り勾配の大きさの正関数として設定される補正回生電力量を加算して算出する制御を行うように構成され、前記ハイブリッド車両の車重が重いほど前記設定勾配閾値が小さくなる。
【００１０】
また、上記のハイブリッド車両の回生電力量制御システムにおいて、前記制御装置が、前記ハイブリッド車両の走行地点の道路勾配が前記設定勾配閾値以上の下り勾配である場合に、前記モータージェネレーターの目標回生電力量と、前記モータージェネレーターにインバーターを介して接続されるバッテリーの充電量の合計値である合計電力量が、前記バッテリーに充電できる量の最大値である最大充電量値以上となったときには、前記合計電力量が前記最大充電量値未満となるように、前記目標回生電力量を減少させる制御を行うように構成される。
【００１１】
また、上記の目的を達成する本発明のハイブリッド車両は、上記のハイブリッド車両の回生電力量制御システムを備えて構成される。
【００１２】
また、上記の目的を達成する本発明のハイブリッド車両の回生電力量制御方法は、車両走行用の動力源であるエンジン及びモータージェネレーターを有するハイブリッドシステムを備えたハイブリッド車両の回生電力量制御方法において、前記ハイブリッド車両の車重に基づいて設定される設定勾配閾値は、前記ハイブリッド車両の車重が重いほど小さくなり、前記ハイブリッド車両の走行地点の道路勾配が前記設定勾配閾値以上の下り勾配である場合に、前記モータージェネレーターの回生電力量の目標値である目標回生電力量を、前記ハイブリッド車両の走行状態に基づいて設定される回生電力量である基本回生電力量に、前記走行地点の下り勾配の大きさの正関数として設定される補正回生電力量を加算して算出する制御を行うことを特徴とする方法である。
【００１３】
また、上記のハイブリッド車両の回生電力量制御方法において、前記ハイブリッド車両の走行地点の道路勾配が前記設定勾配閾値以上の下り勾配である場合に、前記モータージェネレーターの目標回生電力量と、前記モータージェネレーターにインバーターを介して接続されるバッテリーの充電量の合計値である合計電力量が、前記バッテリーに充電できる量の最大値である最大充電量値以上となったときには、前記合計電力量が前記最大充電量値未満となるように、前記目標回生電力量を減少させる制御を行うことを特徴とする方法である。
【発明の効果】
【００１４】
本発明のハイブリッド車両の回生電力量制御システム、ハイブリッド車両及びハイブリッド車両の回生電力量制御方法によれば、ハイブリッド車両が急な下り勾配の道路を走行しているときに、その下り勾配が大きくなるにつれて、モータージェネレーターの回生電力量の目標値（目標回生電力量）を大きくするので、モータージェネレーターにインバーターを介して接続されるバッテリーの充電量を十分に確保することができる。その結果、バッテリーへの充電のためのエンジンの燃料噴射を抑制でき、さらに、上り勾配の道路でのモータージェネレーターのアシスト機会を増加することができ、燃費を向上させることができる。
【００１５】
また、モータージェネレーターによる回生電力量をバッテリーに充電すると、バッテリーの充電量が過剰になると予測される場合には、モータージェネレーターによる目標回生電力量を減少補正するので、バッテリーへの過剰な充電を防止して、バッテリーの耐久性を向上させることができる。
【図面の簡単な説明】
【００１６】
【図１】本発明の実施形態からなるハイブリッド車両の回生電力量制御システムを備えたハイブリッド車両の構成図である。
【図２】本発明の実施形態からなるハイブリッド車両の回生電力量制御方法の制御フローの前半を示す図である。
【図３】本発明の実施形態からなるハイブリッド車両の回生電力量制御方法の制御フローの後半を示す図である。
【図４】道路勾配と補正回生電力量との相関関係を示す図である。
【図５】車重と設定勾配閾値との相関関係を示す図である。
【発明を実施するための形態】
【００１７】
以下に、本発明の実施の形態について、図面を参照して説明する。図１は、本発明の実施形態からなるハイブリッド車両の回生電力量制御システムを備えたハイブリッド車両を示す。
【００１８】
このハイブリッド車両（以下「ＨＥＶ」という。）は、普通乗用車のみならず、バスやトラック、ピックアップトラックなどを含む車両であり、車両の運転状態に応じて複合的に制御されるエンジン１０及びモータージェネレーター３１を有するハイブリッドシステム３０を備えている。
【００１９】
エンジン１０においては、エンジン本体１１に形成された複数（この例では４個）の気筒１２内における燃料の燃焼により発生した熱エネルギーにより、クランクシャフト１３が回転駆動される。このエンジン１０には、ディーゼルエンジンやガソリンエンジンが用いられる。クランクシャフト１３の回転動力は、クランクシャフト１３の一端部に接続するクラッチ１４（例えば、湿式多板クラッチなど）を通じてトランスミッション２０に伝達される。
【００２０】
トランスミッション２０には、ＨＥＶの運転状態と予め設定されたマップデータとに基づいて決定された目標変速段へ、変速用アクチュエーター（図示しない）を用いて自動的に変速するＡＭＴやＡＴが用いられている。なお、トランスミッション２０は、ＡＭＴのような自動変速式に限るものではなく、ドライバーが手動で変速するマニュアル式であってもよい。
【００２１】
トランスミッション２０で変速された回転動力は、プロペラシャフト２２を通じてデファレンシャル２３に伝達され、一対の駆動輪２４にそれぞれ駆動力として分配される。
【００２２】
ハイブリッドシステム３０は、モータージェネレーター３１と、そのモータージェネレーター３１に順に電気的に接続するインバーター３５、高電圧バッテリー３２、ＤＣ／ＤＣコンバーター３３及び低電圧バッテリー３４とを有している。
【００２３】
高電圧バッテリー３２としては、リチウムイオンバッテリーやニッケル水素バッテリーなどが好ましく例示される。また、低電圧バッテリー３４には鉛バッテリーが用いられる。
【００２４】
ＤＣ／ＤＣコンバーター３３は、高電圧バッテリー３２と低電圧バッテリー３４との間における充放電の方向及び出力電圧を制御する機能を有している。また、低電圧バッテリー３４は、各種の車両電装品３６に電力を供給する。
【００２５】
このハイブリッドシステム３０における種々のパラメーター、例えば、電流値、電圧値やＳＯＣ値などは、ＢＭＳ（バッテリーマネジメントシステム）３９により検出される。
【００２６】
モータージェネレーター３１は、回転軸３７に取り付けられた第１プーリー１５とエンジン本体１１の出力軸であるクランクシャフト１３の他端部に取り付けられた第２プーリー１６との間に掛け回された無端状のベルト状部材１７を介して、エンジン１０との間で動力を伝達する。なお、２つのプーリー１５、１６及びベルト状部材１７の代わりに、ギヤボックスなどを用いて動力を伝達することもできる。また、モータージェネレーター３１に接続するエンジン本体１１の出力軸は、クランクシャフト１３に限るものではなく、例えばエンジン本体１１とトランスミッション２０の間の伝達軸やプロペラシャフト２２であっても良い。
【００２７】
このモータージェネレーター３１は、エンジン本体１１を始動するスターターモーター（図示せず）の代わりに、クランキングを行う機能を有していてもよい。
【００２８】
これらのエンジン１０及びハイブリッドシステム３０は、制御装置８０により制御される。具体的には、ＨＥＶの発進時や加速時には、ハイブリッドシステム３０は高電圧バッテリー３２から電力を供給されたモータージェネレーター３１により駆動力の少なくとも一部をアシストする一方で、慣性走行時や制動時においては、モータージェネレーター３１による回生発電を行い、余剰の運動エネルギーを電力に変換して高電圧バッテリー３２を充電する。
【００２９】
本発明のハイブリッド車両の回生電力量制御システムは、車両走行用の動力源であるエンジン１０及びモータージェネレーター３１と、制御装置８０と、を有するハイブリッドシステム３０を備えたシステムである。
【００３０】
そして、制御装置８０が、ハイブリッド車両の走行地点の道路勾配Ｇが実験等により予め設定された設定勾配閾値Ｇ１以上の下り勾配である場合に、モータージェネレーター３１の回生電力量の目標値である目標回生電力量Ｅｔを、ハイブリッド車両の走行状態（エンジン１０の燃料噴射量、エンジン回転数、車速等）に基づいて設定される回生電力量である基本回生電力量Ｅｂに、走行地点の下り勾配Ｇの大きさの正関数として設定される補正回生電力量Ｅｃを加算して算出する制御を行うように構成する。すなわち、目標回生電力量Ｅｔ＝基本回生電力量Ｅｂ＋補正回生電力量Ｅｃとするとともに、この補正回生電力量Ｅｃを、走行地点の下り勾配Ｇが小さいときには小さくなるように、走行地点の下り勾配Ｇが大きいときには大きくなるように、設定する。
【００３１】
ここで、道路勾配Ｇは、例えば、ＥＳＣシステム（横滑り防止システム）に搭載されている加速度センサー（Ｇセンサ−）、輪速センサー、ジャイロセンサー等の各種センサーの検出値を用いて推定算出したり、あるいは、ハイブリッド車両にナビゲーションシステムが搭載されている場合には、このナビゲーションシステムに登録されている道路勾配情報を用いたりして算出する。
【００３２】
また、この設定勾配閾値Ｇ１は、ハイブリッド車両に加わる重力加速度による前進方向の力が走行抵抗以上になり、エンジン１０及びモータージェネレーター３１からの駆動力が無くても、減速しない勾配に選定される。
【００３３】
より詳細には、この設定勾配閾値Ｇ１は、図５に示すような車重と設定勾配閾値Ｇ１の相関関係を設定した制御マップを用いて、ハイブリッド車両の車重を基に算出される。ハイブリッド車両の車重が軽いほど設定勾配閾値Ｇ１は大きくなり、車重が重いほど設定勾配閾値Ｇ１は小さくなる。
【００３４】
また、設定勾配閾値Ｇ１の大きさに基づいて補正回生電力量Ｅｃは変化する。図４に示すように、ハイブリッド車両の車重をａ、ｂ、ｃ（ａ＞ｂ＞ｃ）として、それぞれの車重に対応する設定勾配閾値Ｇ１をＧ１ａ、Ｇ１ｂ、Ｇ１ｃとし、それぞれの設定勾配閾値Ｇ１に対応する補正回生電力量Ｅｃを示す線をＬａ、Ｌｂ、Ｌｃとした場合、車重が大きくなるにつれて、補正回生電力量Ｅｃが大きくなることが分かる。
【００３５】
なお、ハイブリッド車両がオートクルーズ走行する場合には、従来は、運転者により設定された設定車速度で一定走行するように、モータージェネレーター３１による回生電力量（回生トルク）の目標回生量Ｅｔを基本回生電力量Ｅｂに設定しているが、本発明では、道路勾配Ｇが設定勾配閾値Ｇ１以上の下り勾配である場合には、走行地点の下り勾配Ｇの大きさの正関数として補正回生電力量Ｅｃを設定して、目標回生電力量Ｅｔ（＝Ｅｂ＋Ｅｃ）を算出するフィードフォワード制御を行う。
【００３６】
なお、オートクルーズは、特に高速道路を走行する際に使用されており、運転者によってオートクルーズ作動スイッチ（図示しない）が投入された場合に、制御装置８０が、ＨＥＶを自動走行させて予定通りに運行させる走行モードである。
【００３７】
このオートクルーズにおける走行モードとしては、エンジン走行、アシスト走行、モータ走行、及び惰性走行を、走行路の勾配、ハイブリッド車両の車重などのパラメーターに基づいて適時選択して、ハイブリッド車両の車速を予め設定された目標速度範囲に維持してＨＥＶを自動走行させるモードや、先行車両に追従するように適時選択して、ＨＥＶに先行車を追従させるモードを例示できる。
【００３８】
また、上記のハイブリッド車両の回生電力量制御システムにおいて、制御装置８０が、ハイブリッド車両の走行地点の道路勾配Ｇが設定勾配閾値Ｇ１以上の下り勾配である場合に、モータージェネレーター３１の目標回生電力量Ｅｔと、モータージェネレーター３１にインバーター３５を介して接続される高電圧バッテリー３２の充電量Ｅｓの合計値である合計電力量Ｅ（＝Ｅｔ＋Ｅｓ）が、高電圧バッテリー３２に充電できる量の最大値である最大充電量値Ｅｓｍａｘ以上となった（Ｅ≧Ｅｓｍａｘ）ときには、合計電力量Ｅが最大充電量値Ｅｓｍａｘ未満となるように、目標回生電力量Ｅｔを減少させる制御を行うように構成する。この充電量ＥｓはＢＭＳ３９により検出され、充電量Ｅｓの検出値のデータはＢＭＳ３９または制御装置８０に記憶させる。
【００３９】
次に、上記のハイブリッド車両の回生電力量制御システムを基にした、本発明のハイブリッド車両の回生電力量制御方法について、図２、図３の制御フローを参照しながら説明する。図２の制御フローは、車両の始動時等で、図３の制御フローを実施する前に、上級の制御フローから呼ばれて実施され、実施後に、上級の制御フローに戻る制御フローとして示している。図３の制御フローは、車両の慣性走行時や始動時等、モータージェネレーター３１による回生発電制御を行うときに、予め設定した制御時間が経過する毎に上級の制御フローから呼ばれて実施され、実施後に上級の制御フローに戻る制御フローとして示している。
【００４０】
図２の制御フローについて説明する。図２の制御フローがスタートすると、ステップＳ１０にて、ハイブリッド車両の車重を取得して、この取得した車重の情報を制御装置８０に記憶させる。この車重の取得方法は、車両重量計（図示しない）等を用いて車重を検出する方法でもよいし、車両の寸法等に係る各種パラメーターを用いて車重を推定する方法でもよい。また、発進時や変速時に駆動輪２４に伝達される駆動力が走行抵抗に等しくなるとして車重を推定する方法でもよい。
【００４１】
そして、ステップＳ１０の制御を実施後、ステップＳ２０に進み、ステップＳ２０にて、図５に示すような車重と設定勾配閾値Ｇ１の相関関係を設定した制御マップを用いて、ステップＳ１０で取得した車重の情報を基に、設定勾配閾値Ｇ１を算出して、制御装置８０に記憶させる。ステップＳ２０の制御を実施後、リターンに進み、本制御フローを終了して、上級の制御フローに戻る。なお、この設定勾配閾値Ｇ１としては、例えば、ハイブリッド車両の車重が２５ｔの場合には、２％の勾配を例示できる。
【００４２】
図３の制御フローについて説明する。図３の制御フローがスタートすると、ステップＳ３０にて、高電圧バッテリー３２の充電量ＥｓをＢＭＳ３９または制御装置８０より読み込むとともに、ハイブリッド車両の走行状態（エンジン１０の燃料噴射量、エンジン回転数、車速等）に基づいて基本回生電力量Ｅｂを推定算出する。ステップＳ３０の制御を実施後、ステップＳ４０に進む。
【００４３】
ステップＳ４０にて、ハイブリッド車両の走行地点の道路勾配ＧがステップＳ２０で算出した設定勾配Ｇ１以上か否かを判定する。この道路勾配Ｇの算出は、ステップＳ３０またはステップＳ４０で行う。ステップＳ４０にて、道路勾配Ｇが設定勾配Ｇ１未満であると判定した場合（ＮＯ）は、ステップＳ８０に進み、ステップＳ８０にて、基本回生電力量Ｅｂを目標回生電力量Ｅｔ（＝Ｅｂ）に設定する。ステップＳ８０の制御を実施後、ステップＳ９０に進み、目標回生電力量Ｅｔ分のモータージェネレーター３１による回生発電制御を実施する。ステップＳ９０の制御を実施後、リターンに進み、本制御フローを終了して、上級の制御フローに戻る。
【００４４】
一方、ステップＳ４０にて、道路勾配Ｇが設定勾配Ｇ１以上であると判定した場合（ＹＥＳ）は、ステップＳ５０に進み、ステップＳ５０にて、走行地点の下り勾配Ｇの大きさの正関数として設定される補正回生電力量Ｅｃを算出するとともに、この補正回生電力量Ｅｃと、ステップＳ３０で読み込みまたは算出した充電量Ｅｓ及び基本回生電力量Ｅｂを用いて、目標回生電力量Ｅｔ（＝Ｅｂ＋Ｅｃ）及び合計電力量Ｅ（＝Ｅｔ＋Ｅｓ）を算出する。ステップＳ５０の制御を実施後、ステップＳ６０に進む。
【００４５】
ステップＳ６０にて、ステップＳ５０で算出した合計電力量Ｅが最大充電量値Ｅｓｍａｘ以上であるか否かを判定する。ステップＳ６０にて、合計電力量Ｅが最大充電量値Ｅｓｍａｘ未満であると判定した場合（ＮＯ）には、ステップＳ９０に進み、目標回生電力量Ｅｔ分のモータージェネレーター３１による回生発電制御を実施する。ステップＳ９０の制御を実施後、リターンに進み、本制御フローを終了して、上級の制御フローに戻る。
【００４６】
一方、ステップＳ６０にて、合計電力量Ｅが最大充電量値Ｅｓｍａｘ以上であると判定した場合（ＹＥＳ）には、ステップＳ７０に進み、ステップＳ７０にて、合計電力量Ｅが最大充電量値Ｅｓｍａｘ未満となるように、目標回生電力量Ｅｔを減少させる制御（補正）を行う。ステップＳ７０の制御を実施後、ステップＳ９０に進み、目標回生電力量Ｅｔ分のモータージェネレーター３１による回生発電制御を実施する。ステップＳ９０の制御を実施後、リターンに進み、本制御フローを終了して、上級の制御フローに戻る。
【００４７】
以上のように、上記のハイブリッド車両の回生電力量制御システムを基にした、本発明のハイブリッド車両の回生電力量制御方法は、車両走行用の動力源であるエンジン１０及びモータージェネレーター３１を有するハイブリッドシステム３０を備えたハイブリッド車両の回生電力量制御方法において、ハイブリッド車両の走行地点の道路勾配Ｇが予め設定された設定勾配閾値Ｇ１以上の下り勾配である場合に、モータージェネレーター３１の回生電力量の目標値である目標回生電力量Ｅｔを、ハイブリッド車両の走行状態に基づいて設定される回生電力量である基本回生電力量Ｅｂに、走行地点の下り勾配Ｇの大きさの正関数として設定される補正回生電力量Ｅｃを加算して算出する制御を行うことを特徴とする方法である。
【００４８】
また、上記のハイブリッド車両の回生電力量制御方法において、ハイブリッド車両の走行地点の道路勾配Ｇが設定勾配閾値Ｇ１以上の下り勾配である場合に、モータージェネレーター３１の目標回生電力量Ｅｔと、モータージェネレーター３１にインバーター３５を介して接続される高電圧バッテリー３２の充電量Ｅｓの合計値である合計電力量Ｅ（＝Ｅｔ＋Ｅｓ）が、高電圧バッテリー３２に充電できる量の最大値である最大充電量値Ｅｓｍａｘ以上となったときには、合計電力量Ｅが最大充電量値Ｅｓｍａｘ未満となるように、目標回生電力量Ｅｔを減少させる制御を行うことを特徴とする方法である。
【００４９】
本発明のハイブリッド車両の回生電力量制御システム、ハイブリッド車両及びハイブリッド車両の回生電力量制御方法によれば、ハイブリッド車両が急な下り勾配の道路を走行しているときに、その下り勾配が大きくなるにつれて、モータージェネレーター３１の回生電力量の目標値（目標回生電力量）Ｅｔを大きくするので、モータージェネレーター３１にインバーター３５を介して接続される高電圧バッテリー３２の充電量を十分に確保することができる。その結果、高電圧バッテリー３２への充電のためのエンジン１０の燃料噴射を抑制でき、さらに、上り勾配の道路でのモータージェネレーター３１のアシスト機会を増加することができ、燃費を向上させることができる。
【００５０】
また、モータージェネレーター３１による回生電力量を高電圧バッテリー３２に充電すると、高電圧バッテリー３２の充電量が過剰になると予測される場合には、モータージェネレーター３１による目標回生電力量Ｅｔを減少補正するので、高電圧バッテリー３２への過剰な充電を防止して、高電圧バッテリー３２の耐久性を向上させることができる。
【００５１】
加えて、特に、ハイブリッド車両がバスやトラックなどの大型車両の場合には、積荷や乗客数によって車重が大きく変動するので、車重に応じて設定勾配閾値Ｇ１や補正回生電力量Ｅｃを設定することが望ましい。
【００５２】
このように、車重に応じて設定勾配閾値Ｇ１や補正回生電力量Ｅｃを設定することで、車重が比較的重い場合には、モータージェネレーター３１の回生電力量をより増加させることができるので、燃費の向上に有利になる。また、車重が比較的軽い場合には、回生による過剰な制動力によってハイブリッド車両が減速し過ぎることを回避できるので、ドライバビリティの向上に有利になる。
【符号の説明】
【００５３】
１０  エンジン
１１  エンジン本体
３０  ハイブリッドシステム
３１  モータージェネレーター
３２  高電圧バッテリー（バッテリー）
３５  インバーター
８０  制御装置
Ｅｔ  目標回生電力量
Ｅｂ  基本回生電力量
Ｅｃ  補正回生電力量
Ｅｓ  高電圧バッテリーの充電量
Ｅｓｍａｘ  高電圧バッテリーの充電量の最大値
Ｅ  高電圧バッテリーの充電量と目標回生電力量の合計電力量
【図１】
0006686384.tif 000002
【図２】
0006686384.tif 000003
【図３】
0006686384.tif 000004
【図４】
0006686384.tif 000005
【図５】
0006686384.tif 000006